(57)【要約】 【課題】マナーモードの切替えと音響出力先の選択との連携を適切に制御できるようにする。 【解決手段】中央制御部１１は、「マナーモード」が設定されている状態からその解除への切替え時に、イヤホン３が接続されているか否かを判別するほか、音響出力先としてイヤホン３が選択されているか否かを判別し、その判別結果に基づいて音響出力先としてイヤホン３又は本体スピーカ５を切替え選択する。 【選択図】  図２
2008244536.tif 000002
【特許請求の範囲】
【請求項１】
着信時に消音報知を行うマナーモード設定機能を備えた携帯端末装置であって、
前記マナーモードが設定されている状態からその解除への切替え時に、イヤホンが接続されているか否かを判別するほか、音響出力先としてイヤホンが選択されているか否かを判別する判別手段と、
この判別手段による判別結果に基づいて音響出力先を切替え選択する切替え手段と、
を具備したことを特徴とする携帯端末装置。
【請求項２】
着信時に消音報知を行うマナーモード設定機能を備えた携帯端末装置であって、
前記マナーモードが解除されている状態からその設定への切替え時に、イヤホンが接続されているか否かを判別するほか、音響出力先としてイヤホンが選択されているか否かを判別する判別手段と、
この判別手段による判別結果に基づいて音響出力先を切替え選択する切替え手段と、
を具備したことを特徴とする携帯端末装置。
【請求項３】
前記切替え手段は、前記判別結果に基づいて音響出力先を選択する場合に、イヤホンが接続され、かつ、イヤホンが音響出力先として選択されていなければ、イヤホンを音響出力先として切替え選択する、
ようにしたことを特徴とする請求項１あるいは請求項２記載の携帯端末装置。
【請求項４】
前記切替え手段は、前記判別結果に基づいて音響出力先を選択する場合に、イヤホンが接続され、かつ、イヤホンが音響出力先として選択されていれば、継続してイヤホンを音響出力先として選択する、
ようにしたことを特徴とする請求項１あるいは請求項２記載の携帯端末装置。
【請求項５】
交通機関への入退場時に利用される非接触無線通信機能を有し、
前記切替え手段は、この非接触無線通信機能を利用して交通機関への入退場時に、前記マナーモードの設定、解除の切替えを行う、
ようにしたことを特徴とする請求項１あるいは請求項２記載の携帯端末装置。
【請求項６】
コンピュータに対して、
前記マナーモードが設定されている状態からその解除への切替え時に、イヤホンが接続されているか否かを判別するほか、音響出力先としてイヤホンが選択されているか否かを判別する機能と、
前記判別結果に基づいて音響出力先を切替え選択する機能と、
を実現させるためのプログラム。
【請求項７】
コンピュータに対して、
前記マナーモードが解除されている状態からその設定への切替え時に、イヤホンが接続されているか否かを判別するほか、音響出力先としてイヤホンが選択されているか否かを判別する機能と、
前記判別結果に基づいて音響出力先を切替え選択する機能と、
を実現させるためのプログラム。
【発明の詳細な説明】
【技術分野】
【０００１】
この発明は、着信時に消音報知を行うマナーモード設定機能を備えた携帯端末装置及びプログラムに関する。
【背景技術】
【０００２】
従来、携帯電話装置においてはその多機能化に伴って通話機能のほかに、音響出力機能として、例えば、ラジオ放送受信機能、テレビ放送受信機能、インターネット接続機能、音楽再生機能などを備えたものが普及してきており、公共施設内に居るときや交通機関の乗車内において、着信時に消音報知を行うマナーモードに設定されていれば、テレビ音声などの音響出力を本体スピーカからイヤホンに切替えるようにした技術が知られている（特許文献１参照）。
【特許文献１】特開２００３−３０９６４２号公報
【発明の開示】
【発明が解決しようとする課題】
【０００３】
しかしながら、上述した先行技術では、ラジオ放送、テレビ放送などの音響出力先として、マナーモードの設定時にはイヤホンに切替え、マナーモードの解除時には本体スピーカに切替えるようにしているため、音響出力先はマナーモードの設定・解除に応じてものとなり、そのモード切替えタイミングが困難となるほか、イヤホンの着脱とその保管に手間を要することになる。例えば、電車の乗車時に設定したマナーモードを下車時に解除すると、その後も騒音の影響が少ないイヤホンで聴こうとしても、音響出力先が本体スピーカに切替わってしまうなどの問題があった。
【０００４】
この発明の課題は、マナーモードの切替えと音響出力先の選択との連携を適切に制御できるようにすることである。
【課題を解決するための手段】
【０００５】
請求項１記載の発明（第１の発明）は、着信時に消音報知を行うマナーモード設定機能を備えた携帯端末装置であって、前記マナーモードが設定されている状態からその解除への切替え時に、イヤホンが接続されているか否かを判別するほか、音響出力先としてイヤホンが選択されているか否かを判別する判別手段と、この判別手段による判別結果に基づいて音響出力先を切替え選択する切替え手段とを具備したことを特徴とする。
更に、コンピュータに対して、上述した請求項１記載の発明に示した主要機能を実現させるためのプログラムを提供する（請求項６記載の発明）。
【０００６】
なお、上述した請求項１記載の発明は次のようなものであってもよい。
前記切替え手段は、前記判別結果に基づいて音響出力先を選択する場合に、イヤホンが接続され、かつ、イヤホンが音響出力先として選択されていなければ、イヤホンを音響出力先として切替え選択する（請求項３記載の発明）。
【０００７】
前記切替え手段は、前記判別結果に基づいて音響出力先を選択する場合に、イヤホンが接続され、かつ、イヤホンが音響出力先として選択されていれば、継続してイヤホンを音響出力先として選択する（請求項４記載の発明）。
【０００８】
交通機関への入退場時に利用される非接触無線通信機能を有し、前記切替え手段は、この非接触無線通信機能を利用して交通機関への入退場時に、前記マナーモードの設定、解除の切替えを行う（請求項５記載の発明）。
【０００９】
請求項２記載の発明（第２の発明）は、着信時に消音報知を行うマナーモード設定機能を備えた携帯端末装置であって、前記マナーモードが解除されている状態からその設定への切替え時に、イヤホンが接続されているか否かを判別するほか、音響出力先としてイヤホンが選択されているか否かを判別する判別手段と、この判別手段による判別結果に基づいて音響出力先を切替え選択する切替え手段とを具備したことを特徴とする。
更に、コンピュータに対して、上述した請求項２記載の発明に示した主要機能を実現させるためのプログラムを提供する（請求項７記載の発明）。
その他、請求項２記載の発明においても、上述した請求項３〜５記載の発明を適用するようにしてもよい。
【発明の効果】
【００１０】
第１の発明は、マナーモードが設定されている状態からその解除への切替えと音響出力先の選択との連携を適切に制御することができ、ユーザの負担を軽減することが可能となる。
【００１１】
第２の発明は、マナーモードが解除されている状態からその設定への切替えと音響出力先の選択との連携を適切に制御することができ、ユーザの負担を軽減することが可能となる。
【発明を実施するための最良の形態】
【００１２】
以下、図１〜図６を参照して本発明の実施例を説明する。
この実施例は、携帯端末装置として携帯電話装置に適用した場合を例示したもので、図１は、この携帯電話装置の外観図である。
この携帯電話装置は、例えば、２つの筐体（操作部筐体１、表示部筐体２）が開閉可能に取り付けられた折り畳み自在なもので、通話機能、電子メール機能、インターネット接続機能（Ｗｅｂアクセス機能）などのほか、地上波デジタルテレビ放送などを受信するテレビ放送受信機能、テレ放送などを録画・録音して再生する録画／再生機能、電子マネー支払い機能と電子乗車券機能を構成する非接触型ＩＣカード機能を備えている。
【００１３】
図１（Ａ）は、表示部側筐体１と操作部側筐体２とを重ね合わせた状態（装置本体を折り畳んで閉じた状態）を示し、また、図１（Ｂ）は、装置本体を折り畳んだ図１（Ａ）の状態から表示部側筐体１を開いた状態を示している。ここで、操作部筐体２の一側部には、イヤホン３を抜き差しするジャック部４が設けられ、また、表示部筐体１の背面部には、本体スピーカ５が設けられている。イヤホン３は耳内に挿入して装着するタイプに限らず、ヘッドホーンタイプなどであってもよい。本体スピーカ５は、大音響出力が可能なサウンドスピーカである。
【００１４】
図２は、携帯電話装置の基本的な構成要素を示したブロック図である。
中央制御部１１は、二次電池を備えた電源部１２からの電力供給によって動作し、記憶部１３内の各種のプログラムに応じてこの携帯電話装置の全体動作を制御する。この記憶部１３は、ＲＯＭ、ＲＡＭを有する構成で、そのプログラム領域には、後述する図５及び図６に示す動作手順に応じて本実施例を実現するためのプログラムが格納され、また、そのデータ領域には、「マナーモード」の設定／解除に応じてセット／リセットされる「マナーモードフラグ」などが設けられている。
【００１５】
無線通信部１４は、アンテナに接続された送受信部（ベースバンド部）の受信側から信号を取り込んで受信ベースバンド信号に復調したのちに、音響制御部１５を介して受話スピーカ１６から音声出力させる。そして、無線通信部１４は、送話マイク１７から入力された音声データを音響制御部１５から取り込み、送信ベースバンド信号に符号化したのちに送受信部の送信側に与えられてアンテナから送信出力させる。この音響制御部１５は、受話スピーカ１６、送話マイク１７を制御するほか、イヤホン３、本体スピーカ５を制御可能なもので、音響制御部１５には、ジャック部４を介してイヤホン３が抜き差し自在に接続されたり、本体スピーカ５が接続されており、イヤホン３と本体スピーカ５とを音響出力先として切替え選択して、イヤホン３の出力をＯＮ（オン）させたり、本体スピーカ５の出力をオンさせたりするようにしている。
【００１６】
一方、電子メール機能あるいはインターネット接続機能によって無線通信部１４を介して受信取得した表示データは、高品位表示が可能なＬＣＤ（液晶表示装置）などの表示部１８に与えられて表示出力される。操作部１９は、各種の操作キー、ポインティングデバイスなどを有し、ダイヤル入力、文字入力、コマンド入力などを行うもので、中央制御部１１は、操作部１９からの操作入力信号に応じた処理を実行する。中央制御部１１は、マナーモード切替えキーＭＫが操作されることにより「マナーモード」が設定されている状態からその解除への切替えが指示された際には「マナーモードフラグ」をリセットし、「マナーモード」が解除されている状態からその設定への切替えが指示された際には「マナーモードフラグ」をセットする。
【００１７】
テレビ放送受信部２０は、携帯電話などの携帯受信機向けの地上波デジタルテレビ放送を受信するもので、テレビ映像及び音声情報以外にも電子番組表(ＥＰＧ)なども含めて受信可能である。テレビ放送受信部２０は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、表示部１８から表示出力され、また、テレビ音声データは、イヤホン３あるいは本体スピーカ５から出力される。録画／再生部２１は、テレビ放送などを逐次録画すると共に、この録画内容を読み出して再生表示させるもので、中央制御部１１は、その録画開始／終了及び再生開始／終了を制御する。
【００１８】
非接触型ＩＣカード機能部２２は、交通機関利用時にはその入退場を規制する乗車券機能として利用可能なものであり、メモリ部、コイルアンテナ部などを有し、受信電波によって電磁誘導されるコイルアンテナ部からの起電力に基づいて起動状態となる。この非接触型ＩＣカード機能部２２は、交通機関の駅改札口を通過する際に、その自動改札装置（リーダ・ライタ）との間で交信を行うことによって自動改札処理（入退場処理）が行われる。ここで、中央制御部１１は、改札の入退場に応じて「マナーモード」の設定／解除を行う。すなわち、改札入場時には「マナーモード」に設定し、改札退場時には「マナーモード」を解除するようにしている。報知部２３は、上述の本体スピーカ５のほか、ＬＥＤ（発光ダイオード）、振動モータを備え、電話・メール着信時に駆動されて着信報知を行うほか、アラーム報知時にも駆動される。
【００１９】
図３は、テレビ放送出力開始時における音響出力先を説明するための図である。
すなわち、中央制御部１１は、テレビ放送出力開始時にイヤホン３が接続されていれば、イヤホン３の出力を“ＯＮ”させ、イヤホン３が接続されていなければ、「マナーモードフラグ」のセット／リセット（設定／解除）に応じて本体スピーカ５を選択して“ＯＮ／ＯＦＦ”させるようにしている。
【００２０】
図４は、「マナーモード」が設定されている状態からその解除への切替えが指示された場合あるいは「マナーモード」が解除されている状態からその設定への切替えが指示された場合における音響出力先を説明するための図である。
すなわち、中央制御部１１は、“マナーＯＮ”は、「マナーモード」が解除されている状態からその設定への切替えが指示された場合であり、この“マナーＯＮ”時にイヤホン３が接続され、かつ、それが“ＯＮ中”であれば、そのままイヤホン３の出力の“ＯＮ”を継続するが、イヤホン３の出力が“ＯＦＦ中”であれば、イヤホン３の出力を“ＯＮ”させ、また、イヤホン３が接続されていなければ、本体スピーカ５の出力を“ＯＦＦ”させるようにしている。
【００２１】
一方、“マナーＯＦＦ”は、「マナーモード」が設定されている状態からその解除への切替えが指示された場合であり、中央制御部１１は、この“マナーＯＦＦ”時にイヤホン３が接続され、かつ、それが“ＯＮ中”であれば、そのままイヤホン３の出力“ＯＮ”を継続するが、“ＯＦＦ中”であれば、イヤホン３の出力を“ＯＮ”させ、また、イヤホン３が接続されていなければ、本体スピーカ５の出力を“ＯＮ”させるようにしている。
【００２２】
次に、この実施例における携帯電話装置の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２３】
図５及び図６は、電源投入に伴って実行開始される携帯電話装置の全体動作のうち実施例の特徴部分を示したフローチャートである。
先ず、中央制御部１１は、無線通信部１４を作動させて現在位置を登録する待受処理を行ったのち（ステップＳ１）、電話／メールの着信有無をチェックしたり（ステップＳ２）、何らかの操作有無をチェックしたり（ステップＳ３）、非接触型ＩＣカード機能部２２と自動改札装置との間での交信有無をチェックしながら（ステップＳ４）、上述の待受状態となる（ステップＳ１）。
【００２４】
この待受状態において、着信有りを検出すると（ステップＳ２でＹＥＳ）、「マナーモードフラグ」を参照して「マナーモード」に設定されているかをチェックする（ステップＳ５）。その結果、「マナーモード」が解除されていれば、本体スピーカ５を駆動して着信音を発生させるが（ステップＳ６）、「マナーモード」が設定されていれば（ステップＳ５でＹＥＳ）、報知部２３を構成する振動モータを駆動してバイブレーション報知を行ったのち（ステップＳ７）、回線接続が確立されてからそれが遮断されるまで通話処理を実行する（ステップＳ８）。
【００２５】
また、待受状態において、何らかの操作が行われ（ステップＳ３でＹＥＳ）、それがテレビ起動操作でなければ（ステップＳ９でＮＯ）、マナーモード切替えキーＭＫが操作されたかをチェックし（ステップＳ１０）、それ以外の操作であれば、その操作対応の処理として、例えば、電話発信処理、メール作成処理、録画再生処理などを実行したのち（ステップＳ１１）、上述の待受状態に戻る（ステップＳ１）。
【００２６】
また、マナーモード切替えキーＭＫが操作されたときには（ステップＳ１０でＹＥＳ）、「マナーモードフラグ」を参照して、「マナーモード」の設定中であるかを調べ（ステップＳ１２）、「マナーモード」が解除されていれば（ステップＳ１２でＮＯ）、「マナーモード」への設定切替えを行うが（ステップＳ１３）、「マナーモード」が設定されていれば（ステップＳ１２でＹＥＳ）、「マナーモード」の解除切替えを行う（ステップＳ１４）。
【００２７】
一方、非接触型ＩＣカード機能部２２と自動改札装置との間での交信を検出した場合には（ステップＳ４でＹＥＳ）、その受信内容に基づいて改札入場かを調べ（ステップＳ１５）、改札入場であれば、乗車券入場処理を実行する（ステップＳ１６）。そして、現在のマナーモード状態を退避したのち（ステップＳ１７）、「マナーモードフラグ」をセットして「マナーモード」に設定する（ステップＳ１８）。また、改札退場であれば（ステップＳ１５でＮＯ）、乗車券精算処理を実行する（ステップＳ１９）。そして、上述のように改札入場時に退避しておいたマナーモード状態を読み出し（ステップＳ２０）、それがマナーモード解除であれば（ステップＳ２１でＹＥＳ）、「マナーモードフラグ」をリセットする（ステップＳ２２）。
【００２８】
他方、テレビ起動操作が行われた場合には（ステップＳ８でＹＥＳ）、図６のフローに移り、テレビ放送の受信出力を開始する。すなわち、テレビ放送受信部２０を駆動してテレビ放送を受信し、そのテレビ映像を表示部１８から表示させたのち（ステップＳ２３）、テレビ放送の出力開始時にイヤホン３が接続されているかを調べる（ステップＳ２４）。いま、テレビ放送の出力開始時にイヤホン３が接続されていれば、音響出力先としてイヤホン３を選択するためにイヤホン３の出力を“ＯＮ”させる（ステップＳ２５）。これによってテレビ音声はイヤホン３から出力される。
【００２９】
また、テレビ放送の出力開始時にイヤホン３が接続されていなければ（ステップＳ２４でＮＯ）、「マナーモードフラグ」のセット／リセット（設定／解除）に応じて本体スピーカ５を選択して“ＯＮ／ＯＦＦ”させる（ステップＳ２６〜２８）。すなわち、「マナーモード」が設定中であれば（ステップＳ２６でＹＥＳ）、消音報知を行うために本体スピーカ５を“ＯＦＦ”させるが（ステップＳ２７）、「マナーモード」が解除されていれば（ステップＳ２６でＮＯ）、音響出力先として本体スピーカ５を選択して“ＯＮ”させる（ステップＳ２８）。これによってテレビ音声は、「マナーモード」の解除時に本体スピーカ５から出力される。
【００３０】
このようにしてテレビ放送の出力を開始したのちにおいては、マナーモード切替えキーＭＫが操作されたか、つまり、「マナーモードフラグ」の変更有無をチェックし（ステップＳ２９）、マナーモード切替えキーＭＫが操作されなければ、テレビ受信出力の終了を指示するテレビ終了操作が行われたかをチェックする（ステップＳ３０）。ここで、テレビ終了操作に応答して上述の待受状態に戻るが（ステップＳ１）、マナーモード切替えキーＭＫが操作されたときには（ステップＳ２９でＹＥＳ）、「マナーモード」が解除されている状態からその設定への切替えが指示された場合かを調べる（ステップＳ３１）。
【００３１】
ここで、「マナーモード」の解除から設定への切替え指示であれば（ステップＳ３１でＹＥＳ）、イヤホン３の接続有無をチェックする（ステップＳ３２）。その結果、イヤホン３が接続されている状態において、イヤホン３の出力が“ＯＮ中”であれば（ステップＳ３３でＹＥＳ）、そのままイヤホン３の出力の“ＯＮ”を継続するが、イヤホン３が“ＯＦＦ中”であれば（ステップＳ３３でＮＯ）、音響出力先としてイヤホン３に切替え選択するためにイヤホン３の出力を“ＯＮ”する切替え選択を行う（ステップＳ３５）。また、イヤホン３が接続されていなければ（ステップＳ３２でＮＯ）、着信時に消音報知とするために、本体スピーカ５の出力を“ＯＦＦ”する切替え選択を行う（ステップＳ３４）。その後、上述のステップＳ２９に戻り、操作待ちとなる。
【００３２】
一方、「マナーモード」が設定からその解除への切替え指示であれば（ステップＳ３１でＮＯ）、イヤホン３の接続有無をチェックする（ステップＳ３６）。その結果、イヤホン３が接続されている状態において、イヤホン３の出力が“ＯＮ中”であれば（ステップＳ３７でＹＥＳ）、そのままイヤホン３の出力の“ＯＮ”を継続するが、イヤホン３が“ＯＦＦ中”であれば（ステップＳ３７でＮＯ）、音響出力先としてイヤホン３に切替え選択するためにイヤホン３の出力を“ＯＮ”する切替え選択を行う（ステップＳ３８）。また、イヤホン３が接続されていなければ（ステップＳ３６でＮＯ）、音響出力先として本体スピーカ５に切替え選択するために本体スピーカ５の出力を“ＯＮ”する切替え選択を行う（ステップＳ３９）。その後、上述のステップＳ２９に戻り、操作待ちとなる。
【００３３】
以上のように、この実施例において中央制御部１１は、「マナーモード」が設定されている状態からその解除への切替え時に、イヤホン３が接続されているか否かを判別するほか、音響出力先としてイヤホン３が選択されているか否かを判別し、その判別結果に基づいて音響出力先としてイヤホン３又は本体スピーカ５を切替え選択するようにしたので、「マナーモード」が設定されている状態からその解除への切替えと音響出力先の選択との連携を適切に制御することができ、ユーザの負担を軽減することが可能となる。
【００３４】
同様に、「マナーモード」が解除されている状態からその設定への切替え時に、中央制御部１１は、イヤホン３が接続されているか否かを判別するほか、音響出力先としてイヤホン３が選択されているか否かを判別し、その判別結果に基づいて音響出力先としてイヤホン３又は本体スピーカ５を切替え選択するようにしたので、「マナーモード」が解除されている状態からその設定への切替えと音響出力先の選択との連携を適切に制御することができ、ユーザの負担を軽減することが可能となる。
【００３５】
ここで、中央制御部１１は、「マナーモード」が設定されている状態からその解除への切替え時に、あるいは「マナーモード」が解除されている状態からその設定への切替え時において、上述の判別結果に基づいて音響出力先を選択する場合に、イヤホンが３接続され、かつ、イヤホン３が音響出力先として選択されていなければ、イヤホン３を音響出力先として切替え選択し、また、イヤホン３が接続され、かつ、イヤホン３が音響出力先として選択されていれば、継続してイヤホン３を音響出力先として選択することができる。従って、例えば、テレビ音声を「マナーモード」においてイヤホン３で聴いているときに、「マナーモード」を解除したとしても、突然、本体スピーカ５の出力に切替わってしまうことはなく、テレビ音声を引き続きイヤホン３で聴くことができる。
【００３６】
また、中央制御部１１は、改札の入退場に応じて「マナーモード」の設定／解除を行う。すなわち、改札入場時には「マナーモード」に設定し、改札退場時には「マナーモード」を解除することができるので、モード切替えの自動化に連携して音響出力先を選択することができる。
【００３７】
なお、上述した実施例においては、テレビ放送受信部２０によって受信したテレビ音声を出力する場合を説明したが、テレビ放送の受信出力に限らず、ラジオ放送の受信出力、インターネット接続機能によるコンテンツ出力、音楽再生機能による再生出力の場合であっても同様に適用可能である。
【００３８】
その他、上述したようにイヤホン３は、耳内に挿入して装着するタイプに限らず、ヘッドホーンタイプなどであってもよく、また、携帯電話装置に限らず、例えば、ＰＤＡ、電子カメラ、電子腕時計、音楽再生機などの携帯端末装置であっても同様に適用可能である。
【図面の簡単な説明】
【００３９】
【図１】携帯端末装置として適用した携帯電話装置の外観図で、（Ａ）は、装置本体を折り畳んで閉じた状態を示し、（Ｂ）は、装置本体を開いた状態を示した図。
【図２】携帯電話装置の基本的な構成要素を示したブロック図。
【図３】テレビ放送出力開始時における音響出力先を説明するための図。
【図４】「マナーモード」が設定されている状態からその解除への切替えが指示された場合あるいは「マナーモード」が解除されている状態からその設定への切替えが指示された場合における音響出力先を説明するための図。
【図５】電源投入に伴って実行開始される携帯電話装置の全体動作のうち実施例の特徴部分を示したフローチャート。
【図６】図５に続くフローチャート。
【符号の説明】
【００４０】
３  イヤホン
４  ジャック部
５  本体スピーカ
１１  中央制御部
１３  記憶部
１４  無線通信部
１５  音響制御部
１８  表示部
１９  操作部
２０  テレビ放送受信部
２２  非接触型ＩＣカード機能
２３  報知部
ＭＫ  マナーモード切替えキー
【図１】
2008244536.tif 000003
【図２】
2008244536.tif 000004
【図３】
2008244536.tif 000005
【図４】
2008244536.tif 000006
【図５】
2008244536.tif 000007
【図６】
2008244536.tif 000008